(57)【要約】【課題】遊技機枠の全体的な構造の簡単化を図る。【解決手段】可動枠３の後部にはタンク２０が設けられ、可動枠３の前部には前扉４がヒンジ６を中心として前後方向に片開き可能に取り付けられ、前扉４の前部には球受皿部２５が設けられ、前扉４には通路視認部５１が設けられ、球払出機構２１の動作によってタンク２０から球受皿部２５の側に払い出される球を前扉４の前から見えるように誘導する球払出通路２８が通路視認部５１と対応するように前扉４の後部に設けられ、球払出機構２１の球払出モータが前後方向に直線的に延びる球払出構造体を一方向に駆動すると、球払出構造体がタンクから球を１個ずつ分離しながら球払出通路２８に払い出すようになっており、また、球払出構造体が球払出モータで他方向に駆動されてタンクから球を１個ずつ分離しながら球一掃通路２９に払い出したり、球払出通路２８を後から照明したりしてもよい。【選択図】図１
2008119114.tif 000002
【特許請求の範囲】
【請求項１】
遊技盤を交換可能に取り付ける可動枠と、可動枠の後部に設けられたタンクと、可動枠の前部にヒンジを中心として前後方向に片開き可能に取り付けられた前扉と、前扉の前部に設けられた球受皿部と、タンクに設けられタンクから球受皿部の側に球を１個ずつ分離しながら払い出す球払出機構と、前扉に設けられた通路視認部と、通路視認部と対応する前壁の後面に設けられ球払出機構の動作によってタンクから球受皿部の側に払い出される球を前扉の前方から見えるように誘導する球払出通路と、球払出機構が球払出構造体と球払出モータとを備えかつタンクに設けられ、球払出構造体が前後方向に直線的に延びる丸棒状の払出軸と払出軸の軸心と平行な方向に球を１個ずつ分離する間隔で払出軸の外周面から径方向外側に螺旋形状に突出した螺旋体とを備え、球払出モータが球払出構造体を払出軸の軸心を中心とする円周の一方向に駆動することによって、球払出構造体の螺旋体がタンクの内部における球を１個ずつ分離しながら球払出通路の方に払い出すことを特徴とする遊技機の球払出装置。
【請求項２】
請求項１記載の可動枠に球払出機構から払い出された球を球払出通路を迂回して可動枠の後方に排出する球一掃通路を備え、球払出モータが球払出構造体を払出軸の軸心を中心とする円周の他方向に駆動することによって、球払出構造体の螺旋体がタンクの内部における球を１個ずつ分離しながら球一掃通路の側に払い出すことを特徴とする遊技機の球払出装置。
【発明の詳細な説明】
【技術分野】
【０００１】
本発明は、遊技機枠の全体的な構造が簡単になる遊技機の球払出装置に関する。
【背景技術】
【０００２】
パチンコ遊技機などのパチンコ球と呼ばれる球を遊技媒体として使用する遊技機の球払出装置には、特許文献１乃至特許文献６で開示されたように、球払出通路を通過する球が遊技機枠の前方から見えるように、球払出通路が遊技機枠の前面側に設けられたものが公知である。しかしながら、特許文献１で開示されるように、球払出通路が遊技盤に設けられたり、または、特許文献２乃至特許文献６で開示されるように、球払出通路が遊技機枠の前面から前方に突出されるように遊技機枠に設けられたりすることから、遊技機枠の全体的な構造が複雑となり、にわかに採用しがたいという欠点がある。
【特許文献１】特開２００３−３８７９９号公報
【特許文献２】特開２００６−４３２６６号公報
【特許文献３】特開２００６−６８２３８号公報
【特許文献４】特開２００６−６８２３９号公報
【特許文献５】特開２００６−８７５６７号公報
【特許文献６】特開２００６−９５０１４号公報
【発明の開示】
【発明が解決しようとする課題】
【０００３】
発明が解決しようとする問題点は、遊技機枠の全体的な構造が複雑となり、にわかに採用しがたいという点である。
【課題を解決するための手段】
【０００４】
本発明に係る遊技機の球払出装置は、遊技盤を交換可能に取り付ける可動枠と、可動枠の後部に設けられたタンクと、可動枠の前部にヒンジを中心として前後方向に片開き可能に取り付けられた前扉と、前扉の前部に設けられた球受皿部と、タンクに設けられタンクから球受皿部の側に球を１個ずつ分離しながら払い出す球払出機構と、前扉に設けられた通路視認部と、通路視認部と対応して前扉の後部に設けられかつ球払出機構の動作によってタンクから球受皿部の側に払い出される球を前扉の前方から見えるように誘導する球払出通路と、球払出機構が球払出構造体と球払出モータとを備えかつタンクに設けられ、球払出構造体が前後方向に直線的に延びる丸棒状の払出軸と払出軸の軸心と平行な方向に球を１個ずつ分離する間隔で払出軸の外周面から径方向外側に螺旋形状に突出した螺旋体とを備え、球払出モータが球払出構造体を払出軸の軸心を中心とする円周の一方向に駆動することによって、球払出構造体の螺旋体がタンクの内部における球を１個ずつ分離しながら球払出通路の方に払い出すことを最も主要な特徴とする。可動枠に球払出機構から払い出された球を球払出通路を迂回して可動枠の後方に排出する球一掃通路を備え、球払出モータが球払出構造体を払出軸の軸心を中心とする円周の他方向に駆動することによって、球払出構造体の螺旋体がタンクの内部における球を１個ずつ分離しながら球一掃通路の側に払い出すようにしてもよい。
【発明の効果】
【０００５】
本発明に係る遊技機の球払出装置は、可動枠の後部にはタンクが設けられ、可動枠の前部には前扉がヒンジを中心として前後方向に片開き可能に取り付けられ、前扉の前部には球受皿部が設けられ、前扉には通路視認部が設けられ、球払出機構の動作によってタンクから球受皿部の側に払い出される球を前扉の前から見えるように誘導する球払出通路が通路視認部と対応するように前扉の後部に設けられ、球払出モータが球払出構造体の前後方向に直線的に延びる丸棒状の払出軸の軸心を中心とする円周の一方向に駆動することによって、球払出構造体の螺旋体がタンクの内部における球を１個ずつ分離しながら球払出通路に払い出すようになっているので、球払出通路が遊技盤に設けられたりまたは遊技機枠から前方に突出されるように遊技機枠に設けられたりしたものよりも、遊技機枠の全体的な構造を簡単にすることができるという利点がある。可動枠に球払出機構から払い出された球を球払出通路を迂回して可動枠の後方に排出する球一掃通路を備え、球払出モータが球払出構造体を払出軸の軸心を中心とする円周の他方向に駆動することによって、球払出構造体の螺旋体がタンクの内部における球を１個ずつ分離しながら球一掃通路の側に払い出されれば、球払出モータの動作によって、球をタンクから遊技機設置設備に容易に抜き取れるという利点がある。
【発明を実施するための最良の形態】
【０００６】
図１乃至図７は、発明を実施するための最良の形態である。図１は、パチンコ遊技機を分解して示す。図２は、パチンコ遊技機の正面を示す。図３は、図２のＡ−Ａ線に沿って切断した断面を示す。図４は、図２のＢ−Ｂ線に沿って切断した断面を示す。図５は、球払出通路２８のＢ−Ｂ線と同じ方向の線で切断した断面を示す。図６は、前扉４および球払出通路２８を分解して示す。図７は、タンク２０および球払出機構２１の縦に切断した断面を示す。本明細書において、「前」、「後」、「左」、「右」、「上」、「下」の方向は、図１の状態に遊技機枠１および遊技盤４１を置いて矢印Ｓで示す前方から見た場合に特定される方向である。
【０００７】
図１を参照し、遊技機としてパチンコ遊技機を例として説明する。パチンコ遊技機は、遊技機枠１の内部に遊技盤４１を交換可能に取り付ける形態である。遊技機枠１は、固定枠２の前部に可動枠３を開閉可能に備え、可動枠３の前部に前扉４を開閉可能に備える。固定枠２は、遊技機設置設備に固定される。遊技機設置設備は、パチンコ遊技機を設置する遊技店の島と呼ばれる設備である。可動枠３は、左側に位置するヒンジ５を中心とし、固定枠２の前で前方に開かれかつ後方に閉じられるように、片開き可能である。前扉４は、左側に位置するヒンジ６を中心とし、可動枠３の前で前方に開かれかつ後方に閉じられるように、片開き可能である。
【０００８】
可動枠３は、盤収容部７、中央開口部８、盤後押出部９、盤前受止部１０、盤掛止操作体１１、盤棚１２、球発射機構１３、球発射レール１４、戻り球取入口１５、機外排出樋１６、施錠装置１７、掛止機構１８；１９、タンク２０、球払出機構２１を備える。盤収容部７は、遊技盤４１を可動枠３の前方から格納させるように、前方に開口した方形な箱形である。中央開口部８は、遊技盤４１の後面に固定された部品を盤収容部７から後方に突出するように挿入するための部分であって、前後方向への貫通孔として、盤収容部７の後壁に形成される。盤後押出部９は、遊技盤４１を前方に押す板ばねのような弾性体である。盤前受止部１０は、盤後押出部９で前方に押された遊技盤４１を受け止める突起である。盤後押出部９が後方で盤前受止部１０が前方となるように、盤後押出部９および盤前受止部１０が盤収容部７の左側部に設けられる。盤後押出部９と盤前受止部１０および盤掛止操作体１１は、遊技盤４１を盤収容部７に固定するための機構を構成する。
【０００９】
盤掛止操作体１１は、盤収容部７の後壁から前方に突出し、盤収容部７の後壁の前面と平行な方向に回転可能に、盤収容部７の右側部に設けられる。盤棚１２は、遊技盤４１を搭載する左右方向に平坦な面として、盤収容部７の下縁部に形成される。球発射機構１３、球発射レール１４、戻り球取入口１５は、盤棚１２から下方に延設された前壁の前面に設けられる。機外排出樋１６は、盤棚１２の後方に設けられる。施錠装置１７、掛止機構１８；１９は、可動枠３の右側部に設けられる。タンク２０は、可動枠３の上部に位置し、可動枠３の後面から後方に突出し、遊技機設置構造体の補給機構から供給された球を受ける上方に開口した上方から下方に窪む容器である。球払出機構２１は、タンク２０に設けられ、タンク２０から球受皿部２５の側に球を１個ずつ分離しながら払い出す機構である。
【００１０】
前扉４は、窓２２、パネル構造体２３、掛止部材２４、球受皿部２５、球発射操作機構２６、球供給口２７、球払出通路２８、球一掃通路２９を備える。窓２２は、前後方向への貫通孔として、前扉４に設けられる。パネル構造体２３は、前扉４の後部に開閉可能に設けられる。パネル構造体２３は、左側に位置するヒンジ３０を中心とし、前扉４の後で後方に開かれかつ前方に閉じられるように、片開き可能であって、前面パネル３１を備える。前面パネル３１は、窓２２を塞ぐ大きさのガラスまたは合成樹脂からなる光透過性の有る無色な板状に構成される。パネル構造体２３が閉じられて前扉４に掛止部材２４で開閉不能に支持されると、前面パネル３１が窓２２を後から塞ぐ。掛止部材２４は、前扉４の後部に設けられる。
【００１１】
球受皿部２５は、窓２２よりも下部に位置し、前扉４から前方に突出し、遊技に使用する球を受ける上方に開口しかつ上から下に窪む容器であって、前扉４の前部に設けられる。球発射操作機構２６は、遊技者が球を発射するために操作するものであって、前扉４の前面から前方に突出するように、前扉４の前部に設けられる。球払出通路２８は、球払出機構２１の動作によってタンク２０から球受皿部２５の側に払い出される球を遊技機枠１の前方から見えるように誘導するものであって、窓２２よりも右側に位置し、前扉４の後部に設けられる。
【００１２】
つまり、球払出通路２８は、左右方向において、ヒンジ５；６；３０の設けられた側の反対側に位置する。球払出通路２８の上部には、球入口部３２が設けられる。球入口部３２は、球払出機構２１から排出された球を球払出通路２８に導入する部分である。球払出通路２８の下部には、球出口部３３が設けられる。球出口部３３は、球払出通路２８から球受皿部２５に球を排出する部分である。球一掃通路２９は、球抜き通路とも呼ばれ、球払出機構２１から払い出された球を可動枠３の後から遊技機設置設備に排出するように、可動枠３の後部に設けられる。
【００１３】
遊技盤４１は、ガイドレール４２、入賞部品４３、アウト口４４、球発射通路４５、取付孔部４６、証紙台４７を備える。ガイドレール４２は、遊技盤４１の前面に固定される。ガイドレール４２で囲まれた遊技盤４１の前面には、入賞部品４３、アウト口４４、球発射通路４５が設けられる。取付孔部４６は、ガイドレール４２よりも外側の遊技盤４１の右側部に上下に分かれて設けられる。証紙台４７は、下部の取付孔部４６の前部に開閉可能に設けられる。証紙台４７が閉じられると、下部の取付孔部４６が証紙台４７で覆い隠される。
【００１４】
パネル構造体２３が閉じられて前扉４に掛止部材２４で開閉不能に支持され、前扉４が閉じられて可動枠３に掛止機構１９で開閉不能に支持され、可動枠３が閉じられて固定枠２に掛止機構１８で開閉不能に支持された状態において、遊技店の店員が図外のキープレート（鍵）を遊技機枠１の前方から施錠装置１７の鍵穴に挿入し、当該キープレートを例えば右側に９０度回転操作すると、固定枠２と可動枠３との掛止機構１８による支持形態が解除される。この支持形態の解除後に、店員が可動枠３を前方に引くことによって、可動枠３はヒンジ５を中心として前方に片開きされる。また、店員が施錠装置１７の鍵穴に挿入されたキープレートを例えば左側に９０度回転操作すると、可動枠３と前扉４との掛止機構１９による支持形態が解除される。この支持形態の解除後に、店員が前扉４を前方に引くことによって、前扉４はヒンジ６を中心として前方に片開きされる。
【００１５】
そして、少なくとも、前扉４が前方に開かれた状態において、遊技盤４１の左側部が可動枠３の前方から盤後押出部９と盤前受止部１０との間に挿入され、遊技盤４１の右側部が遊技店の店員によって前から後に押され、盤掛止操作体１１が遊技盤４１の後方から取付孔部４６に挿入され、遊技店の店員が遊技盤４１の前に突出した盤掛止操作体１１を例えば９０度回転操作することによって、盤掛止操作体１１が遊技盤４１の前面に掛け止められ、遊技盤４１の前面が前方に向けられ、遊技盤４１が可動枠３の内部における盤収容部７に装着される。
【００１６】
その後、前扉４が閉じられ、前扉４が可動枠３に掛止機構１９で開閉不能に支持されると、図２に示すように、ガイドレール４２で囲まれた遊技盤４１の前面、ガイドレール４２、入賞部品４３、アウト口４４、球発射通路４５が、遊技機枠１の前方から窓２２および前面パネル３１を通して視認可能になり、球払出通路２８が窓２２よりも右側に位置して遊技機枠１の前方から視認可能になり、球入口部３２が球払出機構２１の真下に配置され、図２乃至図４に示すように、ガイドレール４２で囲まれた遊技盤４１の前面と前面パネル３１との間の空間が球の飛び交う遊技領域４８になる。
【００１７】
図２に示すように、遊技盤４１が可動枠３に取り付けられ、前扉４が閉じられて可動枠３に開閉不能に支持され、遊技者が球受皿部２５にパチンコ球と呼ばれる球を入れて球発射操作機構２６を操作すると、球発射機構１３が球発射操作機構２６から出力された操作量に応じた発射力で例えば１分間に１から１００発未満までの規定数の間隔で駆動し、球発射機構１３が球受皿部２５から図１の球供給口２７を経由して球発射レール１４に供給された球を発射球として１個ずつ遊技盤４１の球発射通路４５に向けて発射する。この球発射通路４５に発射された球が、球発射通路４５から遊技領域４８に到達する。遊技領域４８に到達した球は、遊技盤４１の前面に設けられた入賞部品４３などの遊技部品に衝突して流れる方向を変えながら、遊技領域４８を流下する過程において、入賞部品４３に入賞する。球が入賞部品４３に入賞すると、入賞部品４３の入賞に対する賞球としての球が、球払出機構２１の動作によってタンク２０から球払出通路２８を経由して球受皿部２５に払い出される。遊技者は、球払出通路２８を通過する球を遊技機枠１の前方から見ることができる。
【００１８】
図６を参照し、球払出通路２８が前扉４の後部に設けられる構造について説明する。前扉４は、通路視認部５１、通路取付部５２を備える。通路視認部５１は、前後方向への貫通孔として、前扉４の前部に設けられる。球払出通路２８は、前通路構造体５３と後通路構造体５４とを備える。前通路構造体５３は、光を透過する性質の有る無色または有色な合成樹脂からなる後方に開口する縦長な溝状に構成され、前壁５５、左壁５６、右壁５７、取付片５８、ねじ挿入孔５９、突面部６０を備える。左壁５６は、前壁５５の左縁部から後方に突出する。右壁５７は、前壁５５の右縁部から後方に突出し、左壁５６と対向する。取付片５８は、左壁５６の後縁部から左側に突出し、また、右壁５７の後縁部から右側に突出する。ねじ挿入孔５９は、前後方向への貫通孔として、取付片５８に設けられる。突面部６０は、前壁５５の前面から前方に突出し、通路視認部５１に嵌め込まれる大きさとして、前壁５５の前面に設けられる。
【００１９】
後通路構造体５４は、光を透過する性質の有る有色な合成樹脂からなる縦長な板状に構成され、球入口部３２、球出口部３３、ねじ挿入孔６２を備える。球入口部３２は、後通路構造体５４から後方に突出し、底部と左右の側壁とを有し、上方および前後方向に開口した溝状として、後通路構造体５４の上部に設けられる。球出口部３３は、後通路構造体５４から前方に突出し、底部と左右の側壁とを有し、上方および前方に開口した溝状として、後通路構造体５４の下部に設けられる。ねじ挿入孔６２は、前後方向への貫通孔として、後通路構造体５４の左縁部および右縁部に設けられる。
【００２０】
球払出通路２８が前扉４に取り付けられる場合、前通路構造体５３の突面部６０が前扉４の後方から通路視認部５１に嵌め込まれ、突面部６０の上縁部と通路視認部５１の上縁部とが互いに接触され、突面部６０の下縁部と通路視認部５１の下縁部との間に前後方向に貫通する開口６３（図３参照）が形成され、前通路構造体５３の取付片５８の前面が通路取付部５２の後面に接触される。
【００２１】
次に、後通路構造体５４が前扉４の後方から前通路構造体５３に組み合わせられる。その場合、後通路構造体５４の左縁部および右縁部が前通路構造体５３の取付片５８に重ね合わされ、後通路構造体５４の中間部が前通路構造体５３の前壁５５と左壁５６および右壁５７で囲まれた空間を塞ぐことによって、球払出通路２８が形成される。その後、タッピングスクリューのような止ねじ６４が後通路構造体５４の後方からねじ挿入孔６２；５９を経由して通路取付部５２に締結される。これによって、球払出通路２８が、図１乃至図５に示すように、前扉４の後部に設けられる。
【００２２】
図７を参照し、タンク２０および球払出機構２１の構造について説明する。タンク２０は、遊技機設置構造体の補給機構から排出されたパチンコ球と呼ばれる球を貯蔵するものであって、上方に開口した箱形の部屋として構成される。タンク２０の底部６７には、タンク球出口６８および球払出機構２１が設けられる。底部６７における球の接触する底面は、タンク２０の内部に取り込まれた球を、タンク球出口６８に向けて流下させる斜面を構成する。タンク球出口６８は、タンク２０の内部に取り込まれた球を球払出機構２１の球取込部７０に落下させる上下方向への貫通孔である。
【００２３】
球払出機構２１は、球取込部７０、球払出口部７１、球一掃口部７２、球払出モータ７３、球払出構造体７４、払出球検出器７５、一掃球検出器７６を備える。球取込部７０は、底部６７に設けられ、底部６７から下方に突出し、かつ、前後方向に細長い内部空間を構成する。球払出口部７１は、球取込部７０から球払出通路２８に球を誘導するように、球取込部７０の前部に設けられ、可動枠３を前後に貫通する。球一掃口部７２は、球取込部７０から球一掃通路２９に球を誘導するように、球取込部７０の後部に設けられる。球払出モータ７３は、タンク２０の後壁の後面に取り付けられる。
【００２４】
球払出構造体７４は、払出軸７７、螺旋体７８を備える。払出軸７７は、前後方向に直線的に延びる丸棒により構成され、球払出モータ７３の出力軸に連結される。螺旋体７８は、払出軸７７に設けられ、払出軸７７の前後方向に延びる軸心と平行な方向に球を１個ずつ分離する間隔で、払出軸７７の外周面から径方向外側に螺旋形状に突出する。払出球検出器７５は、球払出口部７１に設けられ、通過する球を検出することごとに電気的な球検出信号を図外の制御装置に出力する。一掃球検出器７６は、球一掃口部７２に設けられ、通過する球を検出することごとに電気的な球検出信号を図外の制御装置に出力する。
【００２５】
球払出機構２１の動作について説明する。球Ｐが、タンク２０からタンク球出口６８を経由して球取込部７０に入って螺旋体７８の隙間に取り込まれる。その状態において、球払出モータ７３が球払出構造体７４を矢印Ｗ１で示す方向に回転すると、螺旋体７８が球取込部７０における球を１個ずつ分離しながら矢印Ｘ１で示すように前方に移動させ、この前方に移動した球が球払出口部７１の真上に到達して螺旋体７８から外れて自重で球払出口部７１に落下する。つまり、球払出モータ７３が球払出構造体７４を払出軸７７の軸心を中心とする円周の一方向である矢印Ｗ１で示す方向に駆動すると、螺旋体７８がタンク２０の内部における球を１個ずつ分離しながら球払出通路２８の側に払い出す。
【００２６】
また、球払出モータ７３が球払出構造体７４を矢印Ｗ２で示す方向に回転すると、螺旋体７８がタンクの内部としての球取込部７０における球を１個ずつ分離しながら矢印Ｘ２で示すように後方に移動させ、この後方に移動した球が球一掃通路２９の真上に到達して螺旋体７８から外れて自重で球一掃通路２９に落下する。つまり、球払出モータ７３が球払出構造体７４を払出軸７７の軸心を中心とする円周の他方向である矢印Ｗ２で示す方向に駆動すると、螺旋体７８がタンク２０の内部における球を１個ずつ分離しながら球一掃通路２９の側に払い出す。つまり、球払出モータ７３の矢印Ｗ２で示す方向に回転によって、球をタンク２０から遊技機設置設備に容易に抜き取れるという利点がある。
【００２７】
最良の形態によれば、図１および図２に示すように、可動枠３の後部にはタンク２０が設けられ、可動枠３の前部には前扉４がヒンジ６を中心として前後方向に片開き可能に取り付けられ、前扉４の前部には球受皿部２５が設けられ、前扉４には通路視認部５１が設けられ、前扉４の後部には球払出機構２１の動作によってタンク２０から球受皿部２５の側に払い出される球を前扉４の前方から見えるように誘導する球払出通路２８が通路視認部５１と対応して設けられ、球一掃通路２９が可動枠に設けられ、球払出モータ７３が球払出構造体７４を払出軸７７の軸心を中心とする円周の一方向に駆動することによって、球払出構造体７４の螺旋体７８がタンク２０の内部における球を１個ずつ分離しながら球払出通路２８の側に払い出し、球払出モータ７３が球払出構造体７４を払出軸７７の軸心を中心とする円周の他方向に駆動することによって、球払出構造体７４の螺旋体７８がタンク２０の内部における球を１個ずつ分離しながら球一掃通路２９の側に払い出すようになっているので、特許文献１乃至特許文献６で開示された構造よりも、遊技機枠１の全体的な構造を簡単にすることができるという利点がある。
【００２８】
図１および図２に示すように、球払出機構２１がタンク２０に設けられているので、不正操作部材が遊技機枠１の前方から球出口部３３に挿入された場合でも、不正操作部材が球払出通路２８から球払出機構２１に到達しにくくなり、球払出機構２１に対する不正操作がやりにくくなるという利点がある。
【００２９】
図１および図２に示すように、球払出機構２１がタンク２０に設けられ、球払出通路２８の上部には球払出機構２１から排出された球を球払出通路２８に導入する球入口部３２が設けられ、球入口部３２は球払出通路２８から後方に突出しかつ底部と左右の側壁とを有する上方および後方向に開口した溝状に構成され、前扉４が可動枠３の側に閉じられた場合、球入口部３２が球払出機構２１の球払出口部７１の真下に配置されているので、前扉４の開閉時において、球入口部３２と球払出口部７１とが互いに干渉することがなく、不正操作部材が遊技機枠１の前方から球出口部３３に挿入された場合でも、不正操作部材が球払出通路２８の球入口部３２から後方に突出して球払出機構２１の球払出口部７１に到達することがなく、球払出機構２１に対する不正操作を防止できるという利点がある。
【００３０】
図３および図４に示すように、球払出通路２８が前扉４の後部に取り付けられかつ前扉４とパネル構造体２３との間の空間に配置されているので、前扉４とパネル構造体２３との取付構造を変更することなく、球払出通路２８が前扉４に設けられ、遊技機枠１の全体的な構造を簡単にすることができるという利点がある。
【００３１】
前後方向の貫通孔として構成された通路視認部５１が突面部６０で塞がれ、通路視認部５１と突面部６０との間の隙間が前通路構造体５３の前壁５５の前面で覆われているので、不正操作部材が遊技機枠１の前方から通路視認部５１と突面部６０との間の隙間から前扉４の後方に侵入することがなく、球払出機構２１に対する不正操作を防止できるという利点がある。
【産業上の利用可能性】
【００３２】
図８は、異なる第１形態に係る球出口部３３の周りの断面を示す。図８において、球出口部３３には、蓋８０が蓋軸８１を中心として開閉可能に設けられる。球出口部３３の底部には、蓋受部８２が設けられる。蓋受部８２は、球出口部３３の底部における球の接触する底面から上方に突出する。そして、球が球払出通路２８から球受皿部２５の側に排出される場合、球が蓋８０を後方から前方に押し開ける。そして、球が蓋８０から球受皿部２５の側に離れることによって、蓋８０が前方から後方に閉じる。蓋８０が前方から後方に閉じる場合、蓋８０の下部が蓋受部８２で受け止められ、蓋８０が、それ以上、後方に行かない。
【００３３】
よって、遊技者が不正操作部材を球受皿部２５の前方から開口６３に挿入して蓋８０を後方に押しても、蓋８０が蓋受部８２で受け止められるので、不正操作部材が蓋８０よりも奥の球払出通路２８に侵入することがなく、不正操作が防止できるという利点がある。図８に点線で示すように、蓋８０が蓋軸８１を中心として前方に開いた場合でも、遊技者が点線の蓋８０に触れることができないように、蓋８０が開口６３から後方に離れていれば、不正操作防止上、良好である。また、図８に仮想線で示すように、蓋８０や蓋受部８２を設けてもよい。この場合、蓋８０は、図外のばねなどによって、仮想線で示すように、閉じた状態を保持される。そして、球が球払出通路２８から球受皿部２５の側に排出される場合、球が図外のばねの弾性に抗して蓋８０を上方から下方に押し開ける。
【００３４】
図９は、異なる第２形態に係る前扉４を示す。前扉４の前部には、上球受皿部８４および下球受皿部８５が設けられる。上球受皿部８４は、球払出通路２８から排出される球を遊技に使用する球として受ける上方に開口した上方から下方に窪む容器であって、図１の球受皿部２５に相当する。下球受皿部８５は、上球受皿部８４から溢れた遊技に使用する球を受ける上方に開口した上方から下方に窪む容器であって、上球受皿部８４よりも下部に位置する。前扉４の後部には、溢れ球通路８６が設けられる。
【００３５】
図１０は、異なる第３形態に係る球払出通路２８の縦に切断した断面を示す。球払出通路２８の後部には、照明構造体８８が設けられる。照明構造体８８は、回路基板８９に複数のＬＥＤなどの表示灯９０を電気的に動作するように実装した形態である。照明構造体８８が球払出通路２８に取り付けられる場合、表示灯９０が後通路構造体５４の側に向けられ、回路基板８９がタッピングスクリューのような止ねじ９１で後通路構造体５４の後部に固定される。よって、照明構造体８８が球払出通路２８を後方から照明するので、遊技者は、上記球払出通路２８を通過する球を遊技機枠１の前方から適切に見ることができる。
【００３６】
図１において、遊技盤４１を盤収容部７に固定する機構は、盤後押出部９、盤前受止部１０、盤掛止操作体１１などからなる以外の機構であってもよい。遊技盤４１が可動枠３の後方から可動枠３の後面に交換可能に取り付けられる構造でもよい。ガイドレール４２は、可動枠３の後面またはパネル構造体２３の後面に設けられてもよい。突面部６０が除去され、前通路構造体５３の前壁５５が通路視認部５１を後方から塞ぐように前扉４の後面に取り付けられてもよい。突面部６０が前通路構造体５３から除去された場合、通路視認部５１は前後方向への貫通孔に置換し光を透過する性質の有る合成樹脂により形成されてもよい。球一掃通路２９は除去してもよい。球一掃通路２９が設けられない場合、図７において、球一掃口部７２や一掃球検出器７６は除去され、球取込部７０における球一掃口部７２の部分は閉鎖される。図６のように後からの照明を使用ない場合、後通路構造体５４は、光を遮蔽する性質の有る合成樹脂により形成されてもよい。
【図面の簡単な説明】
【００３７】
【図１】遊技機枠および遊技盤の分解斜視図（最良の形態）。
【図２】パチンコ遊技機の正面図（最良の形態）。
【図３】図２のＡ−Ａ線断面図（最良の形態）。
【図４】図２のＢ−Ｂ線断面図（最良の形態）。
【図５】球払出通路のＢ−Ｂ線断面図に相当する断面図（最良の形態）。
【図６】球払出通路の分解斜視図（最良の形態）。
【図７】タンクにおける球払出機構の周りの断面図（最良の形態）。
【図８】球払出通路における球出口部の周りの断面図（異なる第１形態）。
【図９】前扉の斜視図（異なる第２形態）。
【図１０】球払出通路の縦断面図（異なる第３形態）。
【符号の説明】
【００３８】
１は遊技機枠、２は固定枠、３は可動枠、４は前扉、５はヒンジ、６はヒンジ、７は盤収容部、８は中央開口部、９は盤後押出部、１０は盤前受止部、１１は盤掛止操作体、１２は盤棚、１３は球発射機構、１４は球発射レール、１５は戻り球取入口、１６は機外排出樋、１７は施錠装置、１８は掛止機構、１９は掛止機構、２０はタンク、２１は球払出機構、２２は窓、２３はパネル構造体、２４は掛止部材、２５は球受皿部、２６は球発射操作機構、２７は球供給口、２８は球払出通路、２９は球一掃通路、３０はヒンジ、３１は前面パネル、３２は球入口部、３３は球出口部、３４乃至４０は欠番、４１は遊技盤、４２はガイドレール、４３は入賞部品、４４はアウト口、４５は球発射通路、４６は取付孔部、４７は証紙台、４８は遊技領域、４９；５０は欠番、５１は通路視認部、５２は通路取付部、５３は前通路構造体、５４は後通路構造体、５５は前壁、５６は左壁、５７は右壁、５８は取付片、５９はねじ挿入孔、６０は突面部、６１は欠番、６２はねじ挿入孔、６３は開口、６４は止ねじ、６５；６６は欠番、６７は底部、６８はタンク球出口、６９は欠番、７０は球取込部、７１は球払出口部、７２は球一掃口部、７３は球払出モータ、７４は球払出構造体、７５は払出球検出器、７６は一掃球検出器、７７は払出軸、７８は螺旋体、７９は欠番、８０は蓋、８１は蓋軸、８２は蓋受部、８３は欠番、８４は上球受皿部、８５は下球受皿部、８６は溢れ球通路、８７は欠番、８８は照明構造体、８９は回路基板、９０は表示灯、９１は止ねじ。
【図１】
2008119114.tif 000003
【図２】
2008119114.tif 000004
【図３】
2008119114.tif 000005
【図４】
2008119114.tif 000006
【図５】
2008119114.tif 000007
【図６】
2008119114.tif 000008
【図７】
2008119114.tif 000009
【図８】
2008119114.tif 000010
【図９】
2008119114.tif 000011
【図１０】
2008119114.tif 000012